(57)【要約】【課題】利便性を向上することのできる画像形成システムおよび画像形成システムの制御プログラムを提供する。【解決手段】画像形成システムは、相互に無線通信を行う端末と画像形成装置とを備える。端末は、端末のＯＳ（Ｏｐｅｒａｔｉｎｇ  Ｓｙｓｔｅｍ）の印刷機能を利用する汎用アプリケーションを用いて、画像形成装置に画像データを送信する。画像形成装置は、端末から画像データを受信した場合、端末に対して印刷条件の送信を要求する。端末は、印刷条件の送信の要求を画像形成装置から受け付けた場合に、印刷条件の設定を行うためのアプリケーションである印刷設定アプリケーションで予め設定された印刷条件に基づく印刷条件を画像形成装置に送信する。画像形成装置は、印刷条件の送信を要求した場合において、端末から印刷条件を受け付けたときは、端末から受け付けた印刷条件に基づいて画像データを印刷する。【選択図】図６
2016136327.tif 000002
【特許請求の範囲】
【請求項１】
相互に無線通信を行う端末と画像形成装置とを備えた画像形成システムであって、
前記端末は、
前記端末のＯＳ（Ｏｐｅｒａｔｉｎｇ  Ｓｙｓｔｅｍ）の印刷機能を利用する汎用アプリケーションを用いて、前記画像形成装置に画像データを送信する第１の送信手段を含み、
前記画像形成装置は、
前記端末から前記画像データを受信した場合に、前記端末に対して印刷条件の送信を要求する要求手段を含み、
前記端末は、
印刷条件の送信の要求を前記画像形成装置から受け付けた場合に、印刷条件の設定を行うためのアプリケーションである印刷設定アプリケーションで予め設定された印刷条件に基づく印刷条件を前記画像形成装置に送信する第２の送信手段をさらに含み、前記印刷設定アプリケーションは、前記汎用アプリケーションとは異なるアプリケーションであり、
前記画像形成装置は、
前記要求手段にて印刷条件の送信を要求した場合において、前記端末から印刷条件を受け付けたとき、前記端末から受け付けた印刷条件に基づいて前記画像データを印刷する印刷手段をさらに含む、画像形成システム。
【請求項２】
前記第２の送信手段は、前記印刷設定アプリケーションで予め設定された印刷条件にセキュリティ情報が含まれる場合に、近距離無線通信を用いて印刷条件を前記画像形成装置に送信する、請求項１に記載の画像形成システム。
【請求項３】
前記セキュリティ情報は、前記端末のユーザーを認証する情報を含み、
前記画像形成装置は、
前記端末のユーザーを認証する情報に基づいて、前記画像データの印刷を許可または禁止するユーザー許可手段をさらに含む、請求項２に記載の画像形成システム。
【請求項４】
前記セキュリティ情報は、前記端末のユーザーが所属する部門を認証する情報を含み、
前記画像形成装置は、
前記端末のユーザーが所属する部門を認証する情報に基づいて、前記画像データの印刷を許可または禁止する部門許可手段をさらに含む、請求項２または３に記載の画像形成システム。
【請求項５】
前記セキュリティ情報は、前記画像形成装置内のセキュリティボックスを使用するためのＩＤ（Ｉｄｅｎｔｉｆｉｃａｔｉｏｎ）およびパスワードを含む、請求項２〜４のいずれかに記載の画像形成システム。
【請求項６】
前記第２の送信手段は、
前記画像形成装置との間で近距離無線通信が確立していない場合、前記画像形成装置との間で近距離無線通信を確立することを促す通知を行う通信確立通知手段をさらに含む、請求項１〜５のいずれかに記載の画像形成システム。
【請求項７】
前記端末は、
印刷条件の送信の要求を前記画像形成装置から受け付けてから所定時間が経過しても前記画像形成装置との間で近距離無線通信が確立しない場合、前記第２の送信手段による印刷条件の送信を中止する送信中止手段をさらに含む、請求項１〜６のいずれかに記載の画像形成システム。
【請求項８】
前記画像形成装置は、
近距離無線通信以外の無線通信を用いて印刷条件を送信することを前記端末に対して許可するか否かの設定を受け付ける送信許可受付手段と、
前記要求手段にて印刷条件の送信を要求してから所定時間が経過しても前記端末との間で近距離無線通信が確立しない場合、前記送信許可受付手段にて受け付けた設定に基づいて、近距離無線通信以外の無線通信を用いて印刷条件を送信することを前記端末に対して許可するか否かを判断する送信判断手段とをさらに含む、請求項１〜６のいずれかに記載の画像形成システム。
【請求項９】
前記端末は、
印刷条件の送信の要求を前記画像形成装置から受け付けてから所定時間が経過しても前記画像形成装置との間で近距離無線通信が確立しない場合、近距離無線通信以外の無線通信を用いて印刷条件を送信することが許可されているか否かを判別する許可判別手段をさらに含み、
近距離無線通信以外の無線通信を用いて印刷条件を送信することが許可されていると前記許可判別手段にて判別した場合、前記第２の送信手段は、近距離無線通信以外の無線通信を用いて印刷条件を前記画像形成装置に送信する、請求項８に記載の画像形成システム。
【請求項１０】
前記画像形成装置は、
前記要求手段にて印刷条件の送信を要求してから所定時間が経過しても前記端末から印刷条件を受け付けない場合、前記画像データの印刷を中止する印刷中止手段をさらに含む、請求項１〜９のいずれかに画像形成システム。
【請求項１１】
前記画像形成装置は、
前記要求手段にて印刷条件の送信を要求してから所定時間が経過しても前記端末から印刷条件を受け付けない場合、印刷条件の設定を受け付ける設定画面を前記画像形成装置に表示する設定画面表示手段をさらに含む、請求項１〜９のいずれかに画像形成システム。
【請求項１２】
前記画像形成装置は、
前記画像形成装置で予め保持しているデフォルトの印刷条件を用いて前記画像データを印刷することを許可するか否かの設定を受け付ける印刷許可受付手段をさらに含む、請求項１〜１１のいずれかに記載の画像形成システム。
【請求項１３】
前記要求手段にて印刷条件の送信を要求した後で前記端末との近距離無線通信が無効であることが判明した場合において、前記デフォルトの印刷条件を用いて前記画像データを印刷することが許可されているときは、前記印刷手段は、前記デフォルトの印刷条件を用いて前記画像データを印刷する、請求項１２に記載の画像形成システム。
【請求項１４】
前記端末は、
前記第１の送信手段が前記画像データとともに前記汎用アプリケーションで設定された他の印刷条件を前記画像形成装置に送信した場合、前記他の印刷条件に基づいて、前記印刷設定アプリケーションで予め設定された印刷条件を変更する印刷条件変更手段をさらに含む、請求項１〜１３のいずれかに記載の画像形成システム。
【請求項１５】
前記端末は、
前記他の印刷条件に基づいて、前記印刷設定アプリケーションで予め設定された印刷条件を変更することを許可するか否かの設定を受け付ける変更許可受付手段をさらに含み、
前記印刷条件変更手段は、前記変更許可受付手段にて許可する設定を受け付けた場合に、前記他の印刷条件に基づいて、前記印刷設定アプリケーションで予め設定された印刷条件を変更する、請求項１４に記載の画像形成システム。
【請求項１６】
前記端末は、
前記画像形成装置の印刷可能な印刷条件である印刷能力を取得する能力取得手段と、
印刷条件の送信の要求を前記画像形成装置から受け付けた場合において、前記印刷設定アプリケーションで予め設定された印刷条件が前記印刷能力を超えているとき、前記印刷設定アプリケーションで予め設定された印刷条件の変更を促す通知を行う変更通知とをさらに含む、請求項１〜１５のいずれかに記載の画像形成システム。
【請求項１７】
前記端末は、
前記画像形成装置の印刷可能な印刷条件である印刷能力を取得する能力取得手段と、
印刷条件の送信の要求を前記画像形成装置から受け付けた場合において、前記印刷設定アプリケーションで予め設定された印刷条件が前記印刷能力を超えているとき、前記印刷設定アプリケーションで予め設定された印刷条件を、前記印刷能力を超えない印刷条件に変更する能力条件変更手段とをさらに含む、請求項１〜１５のいずれかに記載の画像形成システム。
【請求項１８】
前記能力取得手段は、近距離無線通信、または近距離無線通信以外の無線通信を用いて前記印刷能力を取得する、請求項１７または１８に記載の画像形成システム。
【請求項１９】
前記画像形成装置は複数であり、
前記端末は、
前記印刷設定アプリケーションで予め設定された複数の印刷条件の各々であって、複数の前記画像形成装置の各々に対して設定された複数の印刷条件の各々を保持する印刷条件保持手段をさらに含む、請求項１〜１８のいずれかに記載の画像形成システム。
【請求項２０】
相互に無線通信を行う端末と画像形成装置とを備えた画像形成システムの制御プログラムであって、
前記端末のＯＳ（Ｏｐｅｒａｔｉｎｇ  Ｓｙｓｔｅｍ）の印刷機能を利用する汎用アプリケーションを用いて、前記端末から前記画像形成装置に画像データを送信する第１の送信ステップと、
前記端末から前記画像形成装置に前記画像データを送信した場合、前記画像形成装置から前記端末に対して印刷条件の送信を要求する要求ステップと、
印刷条件の送信を前記画像形成装置から前記端末に対して要求した場合に、印刷条件の設定を行うためのアプリケーションである印刷設定アプリケーションで予め設定された印刷条件に基づく印刷条件を前記端末から前記画像形成装置に送信する第２の送信ステップとをコンピューターに実行させ、前記印刷設定アプリケーションは、前記汎用アプリケーションとは異なるアプリケーションであり、
印刷条件の送信を前記画像形成装置から前記端末に対して要求した場合において、前記端末から印刷条件を送信したとき、前記端末から送信した印刷条件に基づいて前記画像形成装置にて前記画像データを印刷する印刷ステップをさらにコンピューターに実行させる、画像形成システムの制御プログラム。
【発明の詳細な説明】
【技術分野】
【０００１】
本発明は、画像形成システムおよび画像形成システムの制御プログラムに関する。より特定的には、本発明は、相互に無線通信を行う端末と画像形成装置とを備えた画像形成システムおよび画像形成システムの制御プログラムに関する。
【背景技術】
【０００２】
一般的に、スマートフォン、タブレット、またはＰＣ（Ｐｅｒｓｏｎａｌ  Ｃｏｍｐｕｔｅｒ）などの端末のユーザーは、端末にインストールされたプリンタードライバーを通じて、画像形成装置で印刷を実行する。しかし、プリンタードライバーは、端末のＯＳ（Ｏｐｅｒａｔｉｎｇ  Ｓｙｓｔｅｍ）や画像形成装置の種類などによって異なっている。このため、ユーザーは、端末のＯＳや画像形成装置の種類などに基づいて、適切なプリンタードライバーを端末に事前にインストールする必要がある。
【０００３】
近年、ＨＴＴＰ（Ｈｙｐｅｒｔｅｘｔ  Ｔｒａｎｓｆｅｒ  Ｐｒｏｔｏｃｏｌ）プロトコルを利用したネットワーク経由での印刷を行う規格であるＩＰＰ（Ｉｎｔｅｒｎｅｔ  Ｐｒｉｎｔｉｎｇ  Ｐｒｏｔｏｃｏｌ）が、ＰＷＧ（Ｐｒｉｎｔｅｒ  Ｗｏｒｋｉｎｇ  Ｇｒｏｕｐ）によって提案されている。端末のＯＳの中には、画像形成装置が実行する印刷ジョブの基本的な印刷条件を、ＩＰＰを用いた汎用アプリケーションで設定可能なものが存在している。端末のユーザーは、汎用アプリケーションを用いることにより、プリンタードライバーを使用しなくても、ネットワーク上の任意の種類の画像形成装置で印刷を実行することができる。
【０００４】
なお、端末からネットワーク上の画像形成装置を利用する技術は、たとえば下記特許文献１および２に開示されている。
【０００５】
下記特許文献１には、端末から無線通信にて画像データを受信した場合において、画像データに印刷条件が設定されていないときは、画像形成装置内に保存しているデフォルトの印刷条件で印刷を行う画像形成装置が開示されている。
【０００６】
また下記特許文献２には、ＩＰＰで受信した画像データを印刷する際の印刷設定であるＩＰＰ印刷設定を、ユーザーが予め印刷装置に登録する技術が開示されている。印刷装置は、ＩＰＰで画像データを受信した場合に、予め登録していたＩＰＰ印刷設定に基づいて画像データを印刷する。
【先行技術文献】
【特許文献】
【０００７】
【特許文献１】特開２００５−２０１０１号公報
【特許文献２】特開２０１４−１６４４２０号公報
【発明の概要】
【発明が解決しようとする課題】
【０００８】
所定の印刷条件で画像データを印刷する際に、通常は印刷条件と画像データとが一つのファイルとして構成され、そのファイルが画像形成装置に一回の通信で送信される。しかし、汎用アプリケーションを通じて印刷を実行する場合、汎用アプリケーションでは最小限の印刷条件しか設定することができない。汎用アプリケーションからは、画像データと最小限の印刷条件とが画像形成装置に送信される。このため、ユーザーは、所望の印刷条件で印刷を行うことができなかった。また画像形成装置から認証に必要な情報を要求された場合に、認証に必要な情報を送信できず、印刷を行うことができなかった。その結果、利便性が低かった。
【０００９】
ここで、従来のように、プリンタードライバーを用いて、ユーザーが所望する印刷条件を画像データとともに送信する方法も考えられる、しかしこの方法は、プリンタードライバーで印刷を実行することのできるファイル形式の画像データの印刷に適用が限定され、プリンタードライバーで印刷を実行することのできないファイル形式（汎用アプリケーションのみが対応するファイル形式）の画像データに適用することはできなかった。
【００１０】
また、汎用アプリケーションは通常、ＯＳに付随しているものである。このため、ＯＳの標準機能としての印刷プロセスと、汎用アプリケーションとを連携させることは、ＯＳおよび汎用アプリケーションの両方に対して大きな改修を行う必要があり、現状では困難である。
【００１１】
さらに、端末上のアプリケーションから画像データを送信した後で、端末上の別のアプリケーションから印刷条件を設定して画像形成装置に送信する方法も考えられる。この方法では、アプリケーションから送信される画像データと、別のアプリケーションから送信される印刷条件とを画像形成装置側でリンクする必要がある。このため端末は、画像データと印刷条件との各々に共通の情報（たとえば端末の製造番号などの固有情報）を付加する必要がある。しかし、画像データと印刷条件との各々に共通の情報を付加した場合、付加した情報が他人に入手されるおそれがある。その結果、印刷を実行しようとしているユーザーとは異なる者が、印刷を実行しようとしているユーザーの情報を不正に入手し、入手した情報に基づいて不正に印刷を実行する危険性がある。
【００１２】
特許文献１の技術では、端末から受信した画像データに印刷条件が設定されていない場合に、画像形成装置は、画像形成装置内に保存しているデフォルトの印刷条件で印刷を行うため、ユーザーは必要な印刷条件を設定することができなかった。特許文献２の技術では、ユーザー端末がサポートするインターフェースがＩＰＰに対応していない場合には、使用することができなかった。
【００１３】
本発明は、上記課題を解決するためのものであり、その目的は、利便性を向上することのできる画像形成システムおよび画像形成システムの制御プログラムを提供することである。
【課題を解決するための手段】
【００１４】
本発明の一の局面に従う画像形成システムは、相互に無線通信を行う端末と画像形成装置とを備えた画像形成システムであって、端末は、端末のＯＳの印刷機能を利用する汎用アプリケーションを用いて、画像形成装置に画像データを送信する第１の送信手段を含み、画像形成装置は、端末から画像データを受信した場合に、端末に対して印刷条件の送信を要求する要求手段を含み、端末は、印刷条件の送信の要求を画像形成装置から受け付けた場合に、印刷条件の設定を行うためのアプリケーションである印刷設定アプリケーションで予め設定された印刷条件に基づく印刷条件を画像形成装置に送信する第２の送信手段をさらに含み、印刷設定アプリケーションは、汎用アプリケーションとは異なるアプリケーションであり、画像形成装置は、要求手段にて印刷条件の送信を要求した場合において、端末から印刷条件を受け付けたとき、端末から受け付けた印刷条件に基づいて画像データを印刷する印刷手段をさらに含む。
【００１５】
上記画像形成システムにおいて好ましくは、第２の送信手段は、印刷設定アプリケーションで予め設定された印刷条件にセキュリティ情報が含まれる場合に、近距離無線通信を用いて印刷条件を画像形成装置に送信する。
【００１６】
上記画像形成システムにおいて好ましくは、セキュリティ情報は、端末のユーザーを認証する情報を含み、画像形成装置は、端末のユーザーを認証する情報に基づいて、画像データの印刷を許可または禁止するユーザー許可手段をさらに含む。
【００１７】
上記画像形成システムにおいて好ましくは、セキュリティ情報は、端末のユーザーが所属する部門を認証する情報を含み、画像形成装置は、端末のユーザーが所属する部門を認証する情報に基づいて、画像データの印刷を許可または禁止する部門許可手段をさらに含む。
【００１８】
上記画像形成システムにおいて好ましくは、セキュリティ情報は、画像形成装置内のセキュリティボックスを使用するためのＩＤ（Ｉｄｅｎｔｉｆｉｃａｔｉｏｎ）およびパスワードを含む。
【００１９】
上記画像形成システムにおいて好ましくは、第２の送信手段は、画像形成装置との間で近距離無線通信が確立していない場合、画像形成装置との間で近距離無線通信を確立することを促す通知を行う通信確立通知手段をさらに含む。
【００２０】
上記画像形成システムにおいて好ましくは、端末は、印刷条件の送信の要求を画像形成装置から受け付けてから所定時間が経過しても画像形成装置との間で近距離無線通信が確立しない場合、第２の送信手段による印刷条件の送信を中止する送信中止手段をさらに含む。
【００２１】
上記画像形成システムにおいて好ましくは、画像形成装置は、近距離無線通信以外の無線通信を用いて印刷条件を送信することを端末に対して許可するか否かの設定を受け付ける送信許可受付手段と、要求手段にて印刷条件の送信を要求してから所定時間が経過しても端末との間で近距離無線通信が確立しない場合、送信許可受付手段にて受け付けた設定に基づいて、近距離無線通信以外の無線通信を用いて印刷条件を送信することを端末に対して許可するか否かを判断する送信判断手段とをさらに含む。
【００２２】
上記画像形成システムにおいて好ましくは、端末は、印刷条件の送信の要求を画像形成装置から受け付けてから所定時間が経過しても画像形成装置との間で近距離無線通信が確立しない場合、近距離無線通信以外の無線通信を用いて印刷条件を送信することが許可されているか否かを判別する許可判別手段をさらに含み、近距離無線通信以外の無線通信を用いて印刷条件を送信することが許可されていると許可判別手段にて判別した場合、第２の送信手段は、近距離無線通信以外の無線通信を用いて印刷条件を画像形成装置に送信する。
【００２３】
上記画像形成システムにおいて好ましくは、画像形成装置は、要求手段にて印刷条件の送信を要求してから所定時間が経過しても端末から印刷条件を受け付けない場合、画像データの印刷を中止する印刷中止手段をさらに含む。
【００２４】
上記画像形成システムにおいて好ましくは、画像形成装置は、要求手段にて印刷条件の送信を要求してから所定時間が経過しても端末から印刷条件を受け付けない場合、印刷条件の設定を受け付ける設定画面を画像形成装置に表示する設定画面表示手段をさらに含む。
【００２５】
上記画像形成システムにおいて好ましくは、画像形成装置は、画像形成装置で予め保持しているデフォルトの印刷条件を用いて画像データを印刷することを許可するか否かの設定を受け付ける印刷許可受付手段をさらに含む。
【００２６】
上記画像形成システムにおいて好ましくは、要求手段にて印刷条件の送信を要求した後で端末との近距離無線通信が無効であることが判明した場合において、デフォルトの印刷条件を用いて画像データを印刷することが許可されているときは、印刷手段は、デフォルトの印刷条件を用いて画像データを印刷する。
【００２７】
上記画像形成システムにおいて好ましくは、端末は、第１の送信手段が画像データとともに汎用アプリケーションで設定された他の印刷条件を画像形成装置に送信した場合、他の印刷条件に基づいて、印刷設定アプリケーションで予め設定された印刷条件を変更する印刷条件変更手段をさらに含む。
【００２８】
上記画像形成システムにおいて好ましくは、端末は、他の印刷条件に基づいて、印刷設定アプリケーションで予め設定された印刷条件を変更することを許可するか否かの設定を受け付ける変更許可受付手段をさらに含み、印刷条件変更手段は、変更許可受付手段にて許可する設定を受け付けた場合に、他の印刷条件に基づいて、印刷設定アプリケーションで予め設定された印刷条件を変更する。
【００２９】
上記画像形成システムにおいて好ましくは、端末は、画像形成装置の印刷可能な印刷条件である印刷能力を取得する能力取得手段と、印刷条件の送信の要求を画像形成装置から受け付けた場合において、印刷設定アプリケーションで予め設定された印刷条件が印刷能力を超えているとき、印刷設定アプリケーションで予め設定された印刷条件の変更を促す通知を行う変更通知とをさらに含む。
【００３０】
上記画像形成システムにおいて好ましくは、端末は、画像形成装置の印刷可能な印刷条件である印刷能力を取得する能力取得手段と、印刷条件の送信の要求を画像形成装置から受け付けた場合において、印刷設定アプリケーションで予め設定された印刷条件が印刷能力を超えているとき、印刷設定アプリケーションで予め設定された印刷条件を、印刷能力を超えない印刷条件に変更する能力条件変更手段とをさらに含む。
【００３１】
上記画像形成システムにおいて好ましくは、能力取得手段は、近距離無線通信、または近距離無線通信以外の無線通信を用いて印刷能力を取得する。
【００３２】
上記画像形成システムにおいて好ましくは、画像形成装置は複数であり、端末は、印刷設定アプリケーションで予め設定された複数の印刷条件の各々であって、複数の画像形成装置の各々に対して設定された複数の印刷条件の各々を保持する印刷条件保持手段をさらに含む。
【００３３】
本発明の他の局面に従う画像形成システムの制御プログラムは、相互に無線通信を行う端末と画像形成装置とを備えた画像形成システムの制御プログラムであって、端末のＯＳの印刷機能を利用する汎用アプリケーションを用いて、端末から画像形成装置に画像データを送信する第１の送信ステップと、端末から画像形成装置に画像データを送信した場合、画像形成装置から端末に対して印刷条件の送信を要求する要求ステップと、印刷条件の送信を画像形成装置から端末に対して要求した場合に、印刷条件の設定を行うためのアプリケーションである印刷設定アプリケーションで予め設定された印刷条件に基づく印刷条件を端末から画像形成装置に送信する第２の送信ステップとをコンピューターに実行させ、印刷設定アプリケーションは、汎用アプリケーションとは異なるアプリケーションであり、印刷条件の送信を画像形成装置から端末に対して要求した場合において、端末から印刷条件を送信したとき、端末から送信した印刷条件に基づいて画像形成装置にて画像データを印刷する印刷ステップをさらにコンピューターに実行させる。
【発明の効果】
【００３４】
本発明によれば、利便性を向上することのできる画像形成システムおよび画像形成システムの制御プログラムを提供することができる。
【図面の簡単な説明】
【００３５】
【図１】本発明の一実施の形態における画像形成システムの概念図である。
【図２】本発明の一実施の形態における画像形成装置１００の構成を示すブロック図である。
【図３】本発明の一実施の形態における画像形成装置１００のＣＰＵ１０１の機能的構成を示すブロック図である。
【図４】本発明の一実施の形態における端末２００の構成を示すブロック図である。
【図５】本発明の一実施の形態における端末２００のＣＰＵ２０１の機能的構成を示すブロック図である。
【図６】本発明の一実施の形態における画像形成システムの動作の概要を示すシーケンス図である。
【図７】本発明の一実施の形態において、画像形成装置１００の印刷設定判断部１１１が画像データを受信した場合の、印刷設定判断部１１１の動作の一例を示すフローチャートである。
【図８】本発明の一実施の形態において、画像形成装置の印刷設定要求部１１２が端末２００に印刷条件の送信を要求する場合の、印刷設定要求部１１２の動作の第１の例を示すフローチャートである。
【図９】本発明の一実施の形態において、端末２００の印刷設定アプリが印刷条件の送信の要求を受信した場合の、印刷設定アプリの動作の第１の例を示すフローチャートである。
【図１０】本発明の一実施の形態において、近距離無線通信の確立を促すメッセージが端末２００の操作表示部２０５に表示された状態を模式的に示す図である。
【図１１】本発明の一実施の形態において、端末２００の印刷設定アプリが印刷条件の送信の要求を受信した場合の、印刷設定アプリの動作の第２の例を示すフローチャートである。
【図１２】本発明の一実施の形態において、画像形成装置の印刷設定要求部１１２が端末２００に印刷条件の送信を要求する場合の、印刷設定要求部１１２の動作の第２の例を示すフローチャートである。
【図１３】本発明の一実施の形態において、端末２００の印刷設定アプリが印刷条件の送信の要求を受信した場合の、印刷設定アプリの動作の第３の例を示すフローチャートである。
【図１４】本発明の一実施の形態において、画像形成装置の印刷設定要求部１１２が端末２００に印刷条件の送信を要求する場合の、印刷設定要求部１１２の動作の第３の例を示すフローチャートである。
【図１５】本発明の一実施の形態において、画像形成装置の印刷設定要求部１１２が端末２００に印刷条件の送信を要求する場合の、印刷設定要求部１１２の動作の第４の例を示すフローチャートである。
【図１６】本発明の一実施の形態において、印刷条件の設定を受け付ける設定画面が画像形成装置１００の操作パネル１０６に表示された状態を模式的に示す図である。
【図１７】本発明の一実施の形態において、画像形成装置の印刷設定要求部１１２が端末２００に印刷条件の送信を要求する場合の、印刷設定要求部１１２の動作の第５の例を示すフローチャートである。
【図１８】本発明の一実施の形態において、印刷設定アプリで予め設定された印刷条件を変更する場合の印刷設定管理部２１０の動作の第１の例を示すフローチャートである。
【図１９】本発明の一実施の形態において、印刷設定アプリで予め設定された印刷条件を変更する場合の印刷設定管理部２１０の動作の第２の例を示すフローチャートである。
【図２０】本発明の一実施の形態において、印刷設定アプリで予め設定された印刷条件を変更する場合の印刷設定送信部２０９の動作の第１の例を示すフローチャートである。
【図２１】本発明の一実施の形態において、印刷設定アプリで予め設定された印刷条件の変更を促す画面が端末２００の操作表示部２０５に表示された状態を模式的に示す図である。
【図２２】本発明の一実施の形態において、印刷設定アプリで予め設定された印刷条件を変更する場合の印刷設定送信部２０９の動作の第２の例を示すフローチャートである。
【図２３】本発明の一実施の形態において端末２００が保持する印刷条件を模式的に示す図である。
【発明を実施するための形態】
【００３６】
以下、本発明の一実施の形態について、図面に基づいて説明する。
【００３７】
以下の実施の形態では、画像形成装置と端末とを備えた画像形成システムについて説明する。画像形成装置は、スキャナー機能、複写機能、プリンターとしての機能、ファクシミリ機能、データ通信機能、およびサーバー機能を備えたＭＦＰ（Ｍｕｌｔｉｆｕｎｃｔｉｏｎ  Ｐｅｒｉｐｈｅｒａｌ）、プリンター、またはファクシミリなどであってもよい。端末は、たとえばスマートフォン、タブレット、またはＰＣ（Ｐｅｒｓｏｎａｌ  Ｃｏｍｐｕｔｅｒ）などであってもよい。
【００３８】
始めに、本実施の形態における画像形成システムの構成について説明する。
【００３９】
図１は、本発明の一実施の形態における画像形成システムの概念図である。なお図１では、画像形成装置１００の一部の構成が断面で示されている。
【００４０】
図１を参照して、本実施の形態における画像形成システムは、画像形成装置１００と、端末（ユーザー端末）２００とを備えている。画像形成装置１００および端末２００の各々は、ネットワーク３００を通じて相互に接続されており、相互に無線通信を行う。
【００４１】
端末２００には、汎用アプリケーションおよび印刷設定アプリケーションがインストールされている。汎用アプリケーションとは、端末２００のＯＳの標準印刷機能を利用する、ブラウザやメールソフトなどのアプリケーションである。標準印刷機能とは、複数の機種に共通の印刷条件の通信を行う共通印刷プロトコル（たとえばＩＰＰなど）を用いた通信で印刷ジョブを送信する機能である。印刷設定アプリとは、汎用アプリケーションとは異なるアプリケーションであり、印刷条件の設定を行うためのアプリケーションである。以降、汎用アプリケーションを汎用アプリと記し、印刷設定アプリケーションのことを印刷設定アプリと記すことがある。
【００４２】
ユーザーは、端末２００にインストールされている汎用アプリを通じて、画像形成装置１００で実行する印刷ジョブの基本的な印刷条件（たとえば印刷枚数など）の設定が可能である。端末２００は、所要の場合に、汎用アプリを用いて画像データと、基本的な印刷条件と含む印刷ジョブを画像形成装置１００に送信する。この印刷ジョブには基本的な印刷条件が含まれていなくてもよい。
【００４３】
またユーザーは、端末２００にインストールされている印刷設定アプリを通じて、画像形成装置１００で実行する印刷ジョブの、汎用アプリで設定可能な印刷条件よりも広範囲な印刷条件の設定が可能である。端末２００は、所要の場合に、印刷設定アプリを用いて画像形成装置１００に画像データを送信する。
【００４４】
画像形成装置１００は、端末２００の汎用アプリから印刷ジョブを受信した場合に、端末２００に対して印刷条件の送信を要求する。端末２００は、印刷条件の送信の要求を画像形成装置１００から受け付けた場合に、印刷設定アプリで予め設定された印刷条件に基づく印刷条件を画像形成装置１００に送信する。画像形成装置１００は、印刷条件の送信を要求した場合において、端末２００の印刷設定アプリから印刷条件を受け付けたとき、受け付けた印刷条件に基づいて画像データを印刷する。
【００４５】
汎用アプリによれば、ドライバーレスで印刷の実行指示を行うことができる。なお、汎用アプリケーションの具体例としては、ＡｉｒＰｒｉｎｔ（登録商標）やＭｏｐｒｉａ（登録商標）などがある。ＡｉｒＰｒｉｎｔは、ｉＯＳ（登録商標）やＭａｃＯＳ（登録商標）の標準印刷機能である。Ｍｏｐｒｉａは、Ａｎｄｒｏｉｄ（登録商標）の標準印刷機能である。
【００４６】
ネットワーク３００は、たとえば無線のＬＡＮ（Ｌｏｃａｌ  Ａｒｅａ  Ｎｅｔｗｏｒｋ）などの、近距離無線通信以外の無線通信を用いる通信回線である。ネットワーク３００は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク３００に接続された機器は、お互いに各種データのやり取りが可能となっている。
【００４７】
また、画像形成装置１００および端末２００の各々は、相互に近距離無線通信を行う。
【００４８】
なお、画像形成システムは、これら以外の機器を備えていてもよい。画像形成システムが備える画像形成装置の数および端末の数は任意である。
【００４９】
画像形成装置１００は、ＭＦＰであり、用紙搬送部１０と、トナー像形成部２０と、定着部３０と、後処理部４０と、スキャナー部５０と、流し込み型のＡＤＦ（Ａｕｔｏ  Ｄｏｃｕｍｅｎｔ  Ｆｅｅｄｅｒ）６０とを主に備えている。画像形成装置１００の下部には、３段の給紙カセット７１が配置されており、給紙カセット７１の図１中右側には大容量の給紙カセット７３が配置されている。プリント時には、給紙カセット７１または７３に装てんされた用紙は、１枚ずつ用紙搬送部１０によって搬送経路１３に沿って搬送される。用紙は、用紙搬送部１０の給紙ローラー１１などによってトナー像形成部２０へ搬送される。トナー像形成部２０は、感光体などを含むイメージングユニット２１と、転写ローラー２２とを含んでいる。トナー像形成部２０は、イメージングユニット２１により感光体上に形成したトナー像を、転写ローラー２２によって用紙に転写する。トナー像が転写された用紙は、次に定着部３０に搬送される。定着部３０は、加熱ローラーと加圧ローラーなどを含んでいる。定着部３０は、トナー像が転写された用紙を、加熱ローラーと加圧ローラーとで挟みながら搬送し、その間に加熱および加圧を行う。これにより定着部３０は、用紙に付着したトナーを熱に溶融させて用紙に定着させる。定着部３０によってトナー像が定着された用紙は、搬送経路１２を経由して後処理部４０へ搬送される。その後用紙は、後処理部４０で必要な後処理が施された後で、排紙トレイ７５へ排出される。
【００５０】
トナー像形成部２０の上部にはスキャナー部５０が設けられており、その上には開閉可能なＡＤＦ６０が設けられている。ＡＤＦ６０を閉じた状態で原稿の読み込みを行う場合には、ＡＤＦ６０の給紙トレイ６１に原稿が積載される。給紙トレイ６１に積載された原稿は、ＡＤＦ６０内をスリットガラス（ＡＤＦ原稿読取用スリットガラス）５１へ搬送される。スキャナー部５０は、スリットガラス５１を通過する原稿の表面を読み取る。スリットガラス５１を通過した原稿は、必要に応じてＡＤＦ６０内の図示しないＣＩＳ（Ｃｏｎｔａｃｔ  Ｉｍａｇｅ  Ｓｅｎｓｏｒ）によりその裏面が読み取られ、排紙トレイ６２へ排出される。このように画像を読み取ることにより、一回の通紙で原稿の両面の画像を同時に読み取ることができる。またＡＤＦ６０を開いた状態で原稿の読み込みを行う場合には、スキャナー部５０は、プラテンガラス５２上に配置された原稿を読み取る。
【００５１】
画像形成装置１００の前面には近距離無線通信部（レシーバー）１０８が設けられている。ユーザーによって端末２００が近距離無線通信部１０９に近づけられると、画像形成装置１００と端末２００との間での近距離無線通信が可能になる。画像形成装置１００の上部には操作パネル１０６が設けられている。
【００５２】
図２は、本発明の一実施の形態における画像形成装置１００の構成を示すブロック図である。
【００５３】
図２を参照して、画像形成装置１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、不揮発メモリ１０４と、認証部１０５と、操作パネル１０６と、画像処理装置１０７と、印刷部１０８と、近距離無線通信部１０９と、無線通信部１１０と、印刷設定判断部１１１と、印刷設定要求部１１２とを含んでいる。ＣＰＵ１０１と、ＲＯＭ１０２、ＲＡＭ１０３、不揮発メモリ１０４、認証部１０５、操作パネル１０６、画像処理装置１０７、印刷部１０８、近距離無線通信部１０９、無線通信部１１０、印刷設定判断部１１１、および印刷設定要求部１１２の各々とは、相互に接続されている。
【００５４】
ＣＰＵ１０１は、画像形成装置１００全体の動作を制御する。ＣＰＵ１０１は、ＲＯＭ１０２に記憶されたプログラムを実行する。
【００５５】
ＲＯＭ１０２は、ＣＰＵ１０１が実行する制御プログラム、画像形成装置１００の印刷能力などを記憶する。
【００５６】
ＲＡＭ１０３はＣＰＵ１０１の作業用のメモリであり、各種ジョブに関するデータを一時的に保存する。特にＲＡＭ１０３は、ＣＰＵ１０１がプログラムを動作するために必要なデータや、画像データなどを一時的に保存する。
【００５７】
不揮発メモリ１０４は、画像データや、画像形成装置１００のデフォルトの印刷条件などの各種情報を記憶する。不揮発メモリ１０４は、ボックス領域を有している。
【００５８】
認証部１０５は、端末２００から受信した端末２００のユーザーを認証する情報に基づいて、端末２００のユーザーに対して画像データの印刷を許可または禁止する。また認証部１０５は、端末２００から受信した端末２００のユーザーが所属する部門を認証する情報に基づいて、端末２００のユーザーに対して画像データの印刷を許可または禁止する。
さらに認証部１０５は、端末２００から受信したＩＤおよびパスワードに基づいて、端末２００のユーザーに対して画像形成装置１００内のセキュリティボックスの使用を許可または禁止する。
【００５９】
操作パネル１０６は、ユーザーからの各種操作を受け付ける。また操作パネル１０６は、ユーザーへの各種情報を表示する。
【００６０】
画像処理装置１０７は、画像データの画像処理を行う。画像処理装置１０７は、たとえば画像データの文字幅の調整、またはコントラストや配色の変換などを行う。
【００６１】
印刷部１０８は、用紙に対して印刷を行う。
【００６２】
近距離無線通信部１０９は、端末２００との間で近距離無線通信を行う。近距離無線通信の通信エリアは、数センチからおよそ１メートル程度の距離である。近距離無線通信は、ＮＦＣ（Ｎｅａｒ  Ｆｉｅｌｄ  Ｃｏｍｍｕｎｉｃａｔｉｏｎ）やＢｌｕｅｔｏｏｔｈ（登録商標）などを用いた無線通信である。
【００６３】
無線通信部１１０は、端末２００との間で近距離無線通信以外の無線通信を行う。
【００６４】
印刷設定判断部１１１は、端末２００から画像データを受信した場合に、画像データを印刷する際の印刷条件を決定する。
【００６５】
印刷設定要求部１１２は、端末２００から画像データを受信した場合に、端末２００に対して印刷条件の送信を要求する。
【００６６】
図３は、本発明の一実施の形態における画像形成装置１００のＣＰＵ１０１の機能的構成を示すブロック図である。
【００６７】
図３を参照して、ＣＰＵ１０１は、画像形成装置全体制御部１５１と、印刷設定判断制御部１５２と、印刷設定要求制御部１５３と、操作パネル制御部１５４と、印刷実行制御部１５５と、無線通信制御部１５６と、近距離無線通信制御部１５７とを含んでいる。
【００６８】
画像形成装置全体制御部１５１は、画像形成装置１００全体の動作を制御する。印刷設定判断制御部１５２は、印刷設定判断部１１１を制御する。印刷設定要求制御部１５３は、印刷設定要求部１１２を制御する。操作パネル制御部１５４は、操作パネル１０６を制御する。印刷実行制御部１５５は、印刷部１０８を制御する。無線通信制御部１５６は、無線通信部１１０を制御する。近距離無線通信制御部１５７は、近距離無線通信部１０９を制御する。
【００６９】
図４は、本発明の一実施の形態における端末２００の構成を示すブロック図である。
【００７０】
図４を参照して、端末２００は、ＣＰＵ２０１と、ＲＯＭ２０２と、ＲＡＭ２０３と、補助記憶装置２０４と、操作表示部２０５と、近距離無線通信部２０６と、無線通信部２０７と、印刷データ送信部２０８と、印刷設定送信部２０９と、印刷設定管理部２１０とを含んでいる。ＣＰＵ２０１と、ＲＯＭ２０２、ＲＡＭ２０３、補助記憶装置２０４、操作表示部２０５、近距離無線通信部２０６、無線通信部２０７、印刷データ送信部２０８、印刷設定送信部２０９、および印刷設定管理部２１０の各々とは、相互に接続されている。
【００７１】
ＣＰＵ２０１は、端末２００全体の動作を制御する。ＣＰＵ２０１は、ＲＯＭ２０２に記憶されたプログラムを実行する。
【００７２】
ＲＯＭ２０２は、ＣＰＵ２０１が実行する制御プログラムなどを記憶する。
【００７３】
ＲＡＭ２０３はＣＰＵ２０１の作業用のメモリである。
【００７４】
補助記憶装置２０４は、画像データや、各種アプリケーションのプログラム、印刷設定アプリを通じて設定された印刷条件などを記憶する。
【００７５】
操作表示部２０５は、ユーザーからのタッチ操作を検出する。また操作表示部２０５は、ユーザーへの各種情報を表示する。
【００７６】
近距離無線通信部２０６は、画像形成装置１００との間で近距離無線通信を行う。
【００７７】
無線通信部２０７は、画像形成装置１００との間で近距離無線通信以外の無線通信を行う。
【００７８】
印刷データ送信部２０８は、汎用アプリを用いて画像形成装置１００に画像データを含む印刷ジョブを送信する。印刷ジョブは、基本的な印刷条件をさらに含んでいてもよい。
【００７９】
印刷設定送信部２０９は、画像形成装置１００に印刷条件を送信する。
【００８０】
印刷設定管理部２１０は、印刷設定アプリを通じて設定された印刷条件を保持する。また印刷設定管理部２１０は、所定の場合に、印刷設定アプリを通じて設定された印刷条件を変更する。
【００８１】
図５は、本発明の一実施の形態における端末２００のＣＰＵ２０１の機能的構成を示すブロック図である。
【００８２】
図５を参照して、ＣＰＵ２０１は、端末全体制御部２５１と、標準印刷制御部２５２と、アプリ制御部２５３と、情報表示制御部２５４と、情報入力制御部２５５と、無線通信制御部２５６と、近距離無線通信制御部２５７とを含んでいる。
【００８３】
端末全体制御部２５１は、端末２００全体の動作を制御する。標準印刷制御部２５２は、汎用アプリを用いた印刷ジョブの送信を制御する。アプリ制御部２５３は、印刷設定アプリ２６１や汎用アプリ２６２などの各種アプリケーションの動作を制御する。情報表示制御部２５４は、操作表示部２０５の表示状態を制御する。情報入力制御部２５５は、操作表示部２０５への入力を検知する。無線通信制御部２５６は、無線通信部２０７を制御する。近距離無線通信制御部２５７は、近距離無線通信部２０６を制御する。
【００８４】
続いて、画像形成システムの動作の概要について説明する。
【００８５】
図６は、本発明の一実施の形態における画像形成システムの動作の概要を示すシーケンス図である。
【００８６】
図６を参照して、ユーザーは、端末２００にインストールされている印刷設定アプリに対して、予め印刷条件を設定する。端末２００のＯＳは、ユーザーの操作に従って、印刷設定アプリを起動する。印刷設定アプリは、ユーザーからの印刷条件の設定を受け付ける。端末２００は、印刷設定アプリを通じて設定された印刷条件を保持する。
【００８７】
続いてユーザーは、端末２００にインストールされている汎用アプリを用いて、端末２００のＯＳの標準印刷機能を実行する。端末２００は、端末２００のＯＳの標準印刷機能の実行を受け付けると、汎用アプリケーションを用いて、画像形成装置１００に対して印刷ジョブを送信する。このときに送信される印刷ジョブは、画像データと、基本的な印刷条件とを含んでいる。
【００８８】
画像形成装置１００は、印刷ジョブを受信すると、汎用アプリで設定可能な印刷条件よりも広範囲な印刷条件が印刷ジョブに付加されているか否かを判断する。画像形成装置１００は、広範囲な印刷条件が印刷ジョブに付加されていない場合に、印刷ジョブが汎用アプリから送信されたものであると判断し、印刷設定アプリに対して印刷条件（広範囲な印刷条件）の送信を要求する。
【００８９】
端末２００の印刷設定アプリは、印刷条件の送信の要求を受け付けると、予め設定された印刷条件を保持している場合に、保持している印刷条件を画像形成装置１００に送信する。画像形成装置１００は、端末２００から印刷条件を受け付けた場合、受信した印刷条件に基づいて画像データを印刷する。
【００９０】
また画像形成装置１００は、印刷条件の送信を要求してから所定時間が経過しても端末２００から印刷条件を受け付けない場合、印刷条件の設定を受け付ける設定画面を操作パネル１０６に表示し、設定画面を通じて設定された印刷条件で画像データを印刷してもよい。
【００９１】
また画像形成装置１００は、印刷条件の送信を要求した後で端末２００の近距離無線通信機能が無効であることが判明した場合において、画像形成装置１００のデフォルトの印刷条件を用いて画像データを印刷することが許可されているときは、画像形成装置１００のデフォルトの印刷条件を用いて画像データを印刷してもよい。
【００９２】
さらに端末２００は、画像形成装置の印刷可能な印刷条件である印刷能力を取得し、印刷条件の送信の要求を画像形成装置１００から受け付けた場合において、印刷設定アプリで予め設定された印刷条件が印刷能力を超えているとき、印刷設定アプリで予め設定された印刷条件を、取得した印刷能力を超えない印刷条件に変更し、変更後の印刷条件を画像形成装置１００に送信してもよい。
【００９３】
次に、画像形成装置１００および端末２００の各々の詳細な動作について説明する。
【００９４】
図７は、本発明の一実施の形態において、画像形成装置１００の印刷設定判断部１１１が画像データを受信した場合の、印刷設定判断部１１１の動作の一例を示すフローチャートである。
【００９５】
図７を参照して、印刷設定判断部１１１は、印刷ジョブを受信したか否かを判別する（Ｓ１１）。印刷ジョブを受信したと判別するまで、印刷設定判断部１１１はステップＳ１１の処理を繰り返す。
【００９６】
ステップＳ１１において、印刷ジョブを受信したと判別した場合（Ｓ１１でＹＥＳ）、印刷設定判断部１１１は、汎用アプリで設定可能な印刷条件よりも広範囲な印刷条件が印刷ジョブに付加されているか否かを判別する（Ｓ１３）。
【００９７】
ステップＳ１３において、汎用アプリで設定可能な印刷条件よりも広範囲な印刷条件が印刷ジョブに付加されていると判別した場合（Ｓ１３でＹＥＳ）、印刷条件の送信要求は不要である。この場合印刷設定判断部１１１は、画像データおよび印刷条件を印刷部１０８に送信し（Ｓ１５）、処理を終了する。印刷部１０８は、画像データおよび印刷条件を受信すると、受信した画像データおよび印刷条件に従って画像データの印刷を行う。
【００９８】
ステップＳ１３において、汎用アプリで設定可能な印刷条件よりも広範囲な印刷条件が印刷ジョブに付加されていないと判別した場合（Ｓ１３でＮＯ）、印刷設定判断部１１１は、印刷条件の送信要求を行うよう印刷設定要求部１１２に通知を行い（Ｓ１７）、処理を終了する。
【００９９】
図８は、本発明の一実施の形態において、画像形成装置の印刷設定要求部１１２が端末２００に印刷条件の送信を要求する場合の、印刷設定要求部１１２の動作の第１の例を示すフローチャートである。
【０１００】
図８を参照して、印刷設定要求部１１２は、印刷設定要求部１１２からの通知を受信した場合に（Ｓ２１）、端末２００に対して印刷条件の送信を要求する必要があると判断する。この場合印刷設定要求部１１２は、端末２００に対して印刷条件の送信を要求し（Ｓ２３）、端末２００から印刷条件を受信したか否かを判別する（Ｓ２５）。端末２００から印刷条件を受信したと判別するまで、印刷設定要求部１１２はステップＳ２５の処理を繰り返す。
【０１０１】
ステップＳ２５において、端末２００から印刷条件を受信したと判別した場合（Ｓ２５でＹＥＳ）、印刷設定要求部１１２は、受信した印刷条件を画像データとともに印刷部１０８に送信し（Ｓ２７）、処理を終了する。印刷部１０８は、印刷設定要求部１１２から画像データおよび印刷条件を受信すると、受信した印刷条件に基づいて画像データの印刷を行う。
【０１０２】
端末２００は、印刷設定アプリで予め設定された印刷条件にセキュリティ情報が含まれる場合には、近距離無線通信を用いて印刷条件を画像形成装置１００に送信してもよい。端末２００は、画像形成装置１００と端末２００との間で近距離無線通信が確立していない場合、画像形成装置１００と端末２００の間で近距離無線通信を確立することを促す通知を行ってもよい。
【０１０３】
セキュリティ情報とは、機密性を維持することが必要な情報である。セキュリティ情報は、たとえば端末２００のユーザーを認証する情報、端末２００のユーザーが所属する部門を認証する情報、または画像形成装置内のセキュリティボックスを使用するためのＩＤおよびパスワードなどである。
【０１０４】
図９は、本発明の一実施の形態において、端末２００の印刷設定アプリが印刷条件の送信の要求を受信した場合の、印刷設定アプリの動作の第１の例を示すフローチャートである。
【０１０５】
図９を参照して、印刷設定アプリは、画像形成装置１００から印刷条件の送信の要求を受信したか否かを判別する（Ｓ３１）。印刷条件の送信の要求を受信したと判別するまで、印刷設定アプリはステップＳ３１の処理を繰り返す。
【０１０６】
ステップＳ３１において、印刷条件の送信の要求を受信したと判別した場合（Ｓ３１）。印刷設定アプリは、印刷アプリで予め設定された印刷条件にセキュリティ情報が含まれるか否かを判別する（Ｓ３３）。
【０１０７】
ステップＳ３３において、印刷アプリで予め設定された印刷条件にセキュリティ情報が含まれると判別した場合（Ｓ３３でＹＥＳ）、印刷設定アプリは、画像形成装置１００と端末２００との間で近距離無線通信が確立しているか否かを判別する（Ｓ３５）。
【０１０８】
ステップＳ３５において、画像形成装置１００と端末２００との間で近距離無線通信が確立していないと判別した場合（Ｓ３５でＮＯ）、印刷設定アプリは、近距離無線通信の確立を促すメッセージを操作表示部２０５に表示し（Ｓ３７）、ステップＳ３５の処理へ進む。
【０１０９】
ステップＳ３５において、画像形成装置１００と端末２００との間で近距離無線通信が確立していると判別した場合（Ｓ３５でＹＥＳ）、印刷設定アプリは、近距離無線通信での印刷条件の送信を印刷設定送信部２０９に対して要求し（Ｓ３９）。処理を終了する。この場合印刷設定送信部２０９は、要求に従って近距離無線通信で画像形成装置１００に印刷条件を送信する。
【０１１０】
ステップＳ３３において、印刷アプリで予め設定された印刷条件にセキュリティ情報が含まれないと判別した場合（Ｓ３３でＮＯ）、印刷設定アプリは、近距離無線通信以外の無線通信での印刷条件の送信を印刷設定送信部２０９に対して要求し（Ｓ３８）、処理を終了する。この場合印刷設定送信部２０９は、要求に従って近距離無線通信以外の無線通信で画像形成装置１００に印刷条件を送信する。
【０１１１】
なお、端末２００は、端末２００が保持している印刷条件にセキュリティ情報が含まれるか否かに関わらずに近距離無線通信を用いて印刷条件を画像形成装置１００に送信してもよい。
【０１１２】
図１０は、本発明の一実施の形態において、近距離無線通信の確立を促すメッセージが端末２００の操作表示部２０５に表示された状態を模式的に示す図である。
【０１１３】
図１０を参照して、端末２００の操作表示部２０５には、「ＭＦＰのレシーバーに本機を近づけてください。」という文字を含むポップアップＰＰが表示されている。ポップアップＰＰは、画像形成装置１００と端末２００との間で近距離無線通信が確立されるまで表示されることが好ましい。またポップアップＰＰは、印刷動作をキャンセルするためのボタンＢＴ１を含んでいてもよい。これにより、ユーザーは、印刷の実行の要否を選択可能になる。
【０１１４】
端末２００は、印刷条件の送信の要求を画像形成装置１００から受け付けてから所定時間が経過しても画像形成装置１００と端末２００との間で近距離無線通信が確立していない場合、印刷条件の送信を中止してもよい。
【０１１５】
図１１は、本発明の一実施の形態において、端末２００の印刷設定アプリが印刷条件の送信の要求を受信した場合の、印刷設定アプリの動作の第２の例を示すフローチャートである。
【０１１６】
図１１を参照して、本フローチャートは、ステップＳ３５の処理でＮＯの場合にステップＳ４１以降の処理を行う点において、図９に示すフローチャートと異なっている。
【０１１７】
ステップＳ３５において、画像形成装置１００と端末２００との間で近距離無線通信が確立していないと判別した場合（Ｓ３５でＮＯ）、印刷設定アプリは、印刷条件の送信の要求を受信してから所定時間が経過したか否かを判別する（Ｓ４１）。
【０１１８】
ステップＳ４１において、印刷条件の送信の要求を受信してから所定時間が経過しないと判別した場合（Ｓ４１でＮＯ）、印刷設定アプリは、ステップＳ３５の処理へ進む。
【０１１９】
ステップＳ４１において、印刷条件の送信の要求を受信してから所定時間が経過したと判別した場合（Ｓ４１でＹＥＳ）、印刷設定アプリは、印刷条件の送信を中止する（Ｓ４３）。この場合印刷設定アプリは、印刷条件の送信を中止した旨のメッセージを操作表示部２０５に表示してもよい。その後印刷設定アプリは、処理を終了する。
【０１２０】
上述以外の本フローチャートの処理は、図９に示すフローチャートの処理と同じであるので、その説明は繰り返さない。
【０１２１】
画像形成装置１００は、近距離無線通信以外の無線通信を用いて印刷条件を送信することを端末２００に対して許可するか否かの設定を予め受け付けてもよい。画像形成装置１００は、印刷条件の送信を要求してから所定時間が経過しても端末２００との間で近距離無線通信が確立しない場合に、受け付けた設定に基づいて、近距離無線通信以外の無線通信を用いて印刷条件を送信することを端末２００に対して許可するか否かを判断してもよい。
【０１２２】
図１２は、本発明の一実施の形態において、画像形成装置の印刷設定要求部１１２が端末２００に印刷条件の送信を要求する場合の、印刷設定要求部１１２の動作の第２の例を示すフローチャートである。
【０１２３】
図１２を参照して、本フローチャートは、ステップＳ２１の処理の前にステップＳ５１の処理を行う点、およびステップＳ２５の処理でＮＯの場合にステップＳ５３以降の処理を行う点において、図８に示すフローチャートと異なっている。
【０１２４】
印刷設定要求部１１２は、近距離無線通信以外の無線通信を用いて印刷条件を送信することを端末２００に対して許可するか否かの設定を予め受け付け（Ｓ５１）、ステップＳ２１の処理へ進む。
【０１２５】
ステップＳ２５において、端末２００から印刷条件を受信しないと判別した場合（Ｓ２５でＮＯ）、印刷設定要求部１１２は、印刷条件の送信の要求を端末２００に送信してから所定時間が経過したか否かを判別する（Ｓ５３）。
【０１２６】
ステップＳ５３において、印刷条件の送信の要求を端末２００に送信してから所定時間が経過したと判別した場合（Ｓ５３でＹＥＳ）、印刷設定要求部１１２は、近距離無線通信以外の無線通信を用いて印刷条件を送信することを端末２００に対して許可する設定があるか否かを判別する（Ｓ５５）。
【０１２７】
ステップＳ５５において、近距離無線通信以外の無線通信を用いて印刷条件を送信することを端末２００に対して許可する設定があると判別した場合（Ｓ５５でＹＥＳ）、印刷設定要求部１１２は、近距離無線通信以外の無線通信を用いて印刷条件を送信することを許可する通知を端末２００に送信し（Ｓ５７）、ステップＳ２５の処理へ進む。
【０１２８】
ステップＳ５３において、印刷条件の送信の要求を端末２００に送信してから所定時間が経過しないと判別した場合（Ｓ５３でＮＯ）、またはステップＳ５５において、近距離無線通信以外の無線通信を用いて印刷条件を送信することを端末２００に対して許可する設定がないと判別した場合（Ｓ５５でＮＯ）、印刷設定要求部１１２は、ステップＳ２５の処理へ進む。
【０１２９】
上述以外の本フローチャートの処理は、図８に示すフローチャートの処理と同じであるので、その説明は繰り返さない。
【０１３０】
端末２００は、印刷条件の送信の要求を画像形成装置１００から受け付けてから所定時間が経過しても画像形成装置１００と端末２００との間で近距離無線通信が確立しない場合、近距離無線通信以外の無線通信を用いて印刷条件を送信することが許可されているか否かを判別してもよい。端末２００は、近距離無線通信以外の無線通信を用いて印刷条件を送信することが許可されていると判別した場合、近距離無線通信以外の無線通信を用いて印刷条件を画像形成装置１００に送信してもよい。
【０１３１】
図１３は、本発明の一実施の形態において、端末２００の印刷設定アプリが印刷条件の送信の要求を受信した場合の、印刷設定アプリの動作の第３の例を示すフローチャートである。
【０１３２】
図１３を参照して、本フローチャートは、ステップＳ３５の処理でＮＯの場合にステップＳ６１以降の処理を行う点において、図９に示すフローチャートと異なっている。
【０１３３】
ステップＳ３５において、画像形成装置１００と端末２００との間で近距離無線通信が確立していないと判別した場合（Ｓ３５でＮＯ）、印刷設定アプリは、印刷条件の送信の要求を受信してから所定時間が経過したか否かを判別する（Ｓ６１）。
【０１３４】
ステップＳ６１において、印刷条件の送信の要求を受信してから所定時間が経過したと判別した場合（Ｓ６１でＹＥＳ）、印刷設定アプリは、近距離無線通信以外の無線通信を用いて印刷条件を送信することを許可する通知を画像形成装置１００から受信したか否かを判別する（Ｓ６３）。
【０１３５】
ステップＳ６３において、印刷設定アプリは、近距離無線通信以外の無線通信を用いて印刷条件を送信することを許可する通知を画像形成装置１００から受信したと判別した場合（Ｓ６３でＹＥＳ）、近距離無線通信以外の無線通信を用いて印刷条件を送信することを印刷設定送信部２０９に要求し（Ｓ６５）、処理を終了する。この場合印刷設定アプリは、近距離無線通信以外の無線通信で印刷条件を送信した旨のメッセージを操作表示部２０５に表示してもよい。
【０１３６】
ステップＳ６１において、印刷条件の送信の要求を受信してから所定時間が経過しないと判別した場合（Ｓ６１でＮＯ）、またはステップＳ６３において、近距離無線通信以外の無線通信を用いて印刷条件を送信することを許可する通知を画像形成装置１００から受信しないと判別した場合（Ｓ６３でＮＯ）、印刷設定アプリはステップＳ３５の処理へ進む。
【０１３７】
上述以外の本フローチャートの処理は、図９に示すフローチャートの処理と同じであるので、その説明は繰り返さない。
【０１３８】
画像形成装置１００は、印刷条件の送信を要求してから所定時間が経過しても端末２００から印刷条件を受け付けない場合、画像データの印刷を中止してもよい。
【０１３９】
図１４は、本発明の一実施の形態において、画像形成装置の印刷設定要求部１１２が端末２００に印刷条件の送信を要求する場合の、印刷設定要求部１１２の動作の第３の例を示すフローチャートである。
【０１４０】
図１４を参照して、本フローチャートは、ステップＳ２５の処理でＮＯの場合にステップＳ７１以降の処理を行う点において、図８に示すフローチャートと異なっている。
【０１４１】
ステップＳ２５において、端末２００から印刷条件を受信しないと判別した場合（Ｓ２５でＮＯ）、印刷設定要求部１１２は、印刷条件の送信の要求を受信してから所定時間が経過したか否かを判別する（Ｓ７１）。
【０１４２】
ステップＳ７１において、印刷条件の送信の要求を受信してから所定時間が経過しないと判別した場合（Ｓ７１でＮＯ）、印刷設定要求部１１２は、ステップＳ２５の処理へ進む。
【０１４３】
ステップＳ７１において、印刷条件の送信の要求を受信してから所定時間が経過したと判別した場合（Ｓ７１でＹＥＳ）、印刷設定要求部１１２は、印刷を中止し（Ｓ７３）、処理を終了する。この場合印刷設定要求部１１２は、印刷を中止した旨のメッセージを操作パネル１０６に表示してもよい。
【０１４４】
上述以外の本フローチャートの処理は、図８に示すフローチャートの処理と同じであるので、その説明は繰り返さない。
【０１４５】
画像形成装置１００は、印刷条件の送信を要求してから所定時間が経過しても端末２００から印刷条件を受け付けない場合、印刷条件の設定を受け付ける設定画面を操作パネル１０６に表示し、設定画面を通じて受け付けた印刷条件に基づいて画像データを印刷してもよい。
【０１４６】
図１５は、本発明の一実施の形態において、画像形成装置の印刷設定要求部１１２が端末２００に印刷条件の送信を要求する場合の、印刷設定要求部１１２の動作の第４の例を示すフローチャートである。
【０１４７】
図１５を参照して、本フローチャートは、ステップＳ２５の処理でＮＯの場合にステップＳ８１以降の処理を行う点において、図８に示すフローチャートと異なっている。
【０１４８】
ステップＳ２５において、端末２００から印刷条件を受信しないと判別した場合（Ｓ２５でＮＯ）、印刷設定要求部１１２は、印刷条件の送信の要求を受信してから所定時間が経過したか否かを判別する（Ｓ８１）。
【０１４９】
ステップＳ８１において、印刷条件の送信の要求を受信してから所定時間が経過しないと判別した場合（Ｓ８１でＮＯ）、印刷設定要求部１１２は、ステップＳ２５の処理へ進む。
【０１５０】
ステップＳ８１において、印刷条件の送信の要求を受信してから所定時間が経過したと判別した場合（Ｓ８１でＹＥＳ）、印刷設定要求部１１２は、印刷条件の設定を受け付ける設定画面を操作パネル１０６に表示し（Ｓ８３）、処理を終了する。
【０１５１】
上述以外の本フローチャートの処理は、図８に示すフローチャートの処理と同じであるので、その説明は繰り返さない。
【０１５２】
図１６は、本発明の一実施の形態において、印刷条件の設定を受け付ける設定画面が画像形成装置１００の操作パネル１０６に表示された状態を模式的に示す図である。
【０１５３】
図１６を参照して、画像形成装置１００の操作パネル１０６には、印刷条件の設定を促すメッセージとともに、印刷面の設定を受け付けるボタンＢＴ２およびＢＴ３と、給紙トレイの設定を受け付けるボタンＢＴ４およびＢＴ５と、認証に必要なユーザーＩＤおよびパスワードの各々の入力を受け付けるボックスＢＸ１およびＢＸ２の各々と、印刷条件の設定を確定するための「ＯＫ」ボタンＢＴ６と、印刷条件の設定を中止するための「キャンセル」ボタンＢＴ７とが表示されている。ユーザーは操作パネル１０６上で必要な印刷条件を設定し、「ＯＫ」ボタンＢＴ６を押下することで、印刷を実行することができる。画像形成装置１００は、図１６に示す設定画面に含まれる印刷条件の項目以外の印刷条件の項目を操作パネル１０６にさらに表示してもよい。
【０１５４】
画像形成装置１００は、画像形成装置１００で予め保持しているデフォルトの印刷条件を用いて画像データを印刷することを許可するか否かの設定を予め受け付けてもよい。画像形成装置１００は、印刷条件の送信を要求した後で端末２００との近距離無線通信が無効であることが判明した場合において、デフォルトの印刷条件を用いて画像データを印刷することが許可されているときは、デフォルトの印刷条件を用いて画像データを印刷してもよい。
【０１５５】
図１７は、本発明の一実施の形態において、画像形成装置の印刷設定要求部１１２が端末２００に印刷条件の送信を要求する場合の、印刷設定要求部１１２の動作の第５の例を示すフローチャートである。
【０１５６】
図１７を参照して、本フローチャートは、ステップＳ２１の処理の前にステップＳ９１の処理を行う点、ステップＳ２３の処理に続いてステップＳ９３などの処理を行う点、およびステップＳ２５の処理でＮＯの場合にステップＳ９８以降の処理を行う点において、図８に示すフローチャートと異なっている。
【０１５７】
印刷設定要求部１１２は、画像形成装置１００で予め保持しているデフォルトの印刷条件を用いて画像データを印刷することを許可するか否かの設定を予め受け付け（Ｓ９１）、ステップＳ２１の処理へ進む。
【０１５８】
ステップＳ２３の処理に続いて、印刷設定要求部１１２は、端末２００との近距離無線通信が無効である旨の情報を取得したか否かを判別する（Ｓ９３）。
【０１５９】
ステップＳ９３において、端末２００との近距離無線通信が無効である旨の情報を取得したと判別した場合（Ｓ９３でＹＥＳ）、印刷設定要求部１１２は、画像形成装置１００で予め保持しているデフォルトの印刷条件を用いて画像データを印刷することが許可されているか否かを判別する（Ｓ９５）。
【０１６０】
ステップＳ９５において、デフォルトの印刷条件を用いて画像データを印刷することが許可されていると判別した場合（Ｓ９５でＹＥＳ）、印刷設定要求部１１２は、デフォルトの印刷条件を印刷部１０８に送信し（Ｓ９７）、処理を終了する。この場合印刷部１０８は、デフォルトの印刷条件に基づいて画像データを印刷する。
【０１６１】
ステップＳ９３において、端末２００との近距離無線通信が無効である旨の情報を取得しないと判別した場合（Ｓ９３でＮＯ）、印刷設定要求部１１２はステップＳ２５の処理へ進む。
【０１６２】
ステップＳ２５において、端末２００から印刷条件を受信しないと判別した場合（Ｓ２５でＮＯ）、印刷設定要求部１１２は、印刷条件の送信の要求を受信してから所定時間が経過したか否かを判別する（Ｓ９８）。
【０１６３】
ステップＳ９８において、印刷条件の送信の要求を受信してから所定時間が経過しないと判別した場合（Ｓ９８でＮＯ）、印刷設定要求部１１２は、ステップＳ９３の処理へ進む。
【０１６４】
ステップＳ９８において、印刷条件の送信の要求を受信してから所定時間が経過したと判別した場合（Ｓ９８でＹＥＳ）、印刷設定要求部１１２は、印刷を中止し（Ｓ９９）、処理を終了する。この場合印刷設定要求部１１２は、印刷を中止した旨のメッセージを操作パネル１０６に表示してもよい。
【０１６５】
上述以外の本フローチャートの処理は、図８に示すフローチャートの処理と同じであるので、その説明は繰り返さない。
【０１６６】
端末２００は、印刷ジョブとして、画像データとともに汎用アプリで設定された印刷条件を画像形成装置１００に送信した場合、汎用アプリで設定された印刷条件に基づいて、印刷設定アプリで予め設定された印刷条件を変更してもよい。
【０１６７】
具体的には、印刷設定管理部２１０は、汎用アプリを用いて画像形成装置１００に送信される印刷ジョブ（標準印刷機能が実行されるポート）を監視する。印刷設定管理部２１０は、印刷設定アプリで予め設定された印刷条件とは異なる印刷条件が印刷ジョブに付加されていれば、印刷設定アプリで予め設定された印刷条件を、印刷ジョブに付加された印刷条件に置き換える。
【０１６８】
図１８は、本発明の一実施の形態において、印刷設定アプリで予め設定された印刷条件を変更する場合の印刷設定管理部２１０の動作の第１の例を示すフローチャートである。
【０１６９】
図１８を参照して、印刷設定管理部２１０は、標準印刷機能が実行されたか否かを判別する（Ｓ１０１）。
【０１７０】
ステップＳ１０１において、標準印刷機能が実行されたと判別した場合（Ｓ１０１でＹＥＳ）、印刷設定管理部２１０は、汎用アプリケーションを用いて画像形成装置１００に送信される印刷ジョブに、印刷条件が付加されているか否かを判別する（Ｓ１０３）。
【０１７１】
ステップＳ１０３において、汎用アプリケーションを用いて画像形成装置１００に送信される印刷ジョブに、印刷条件が付加されていると判別した場合（Ｓ１０３でＹＥＳ）、印刷設定管理部２１０は、汎用アプリケーションを用いて画像形成装置１００に送信される印刷ジョブに付加された印刷条件が、保持している印刷条件と異なるか否かを判別する（Ｓ１０５）。
【０１７２】
ステップＳ１０５において、汎用アプリケーションを用いて画像形成装置１００に送信される印刷ジョブに付加された印刷条件が、保持している印刷条件と異なると判別した場合（Ｓ１０５でＹＥＳ）、印刷設定管理部２１０は、汎用アプリケーションを用いて画像形成装置１００に送信される印刷ジョブに付加された印刷条件で、保持している印刷条件を置き換え（Ｓ１０７）、処理を終了する。
【０１７３】
ステップＳ１０１において、標準印刷機能が実行されないと判別した場合（Ｓ１０１でＮＯ）、ステップＳ１０３において、汎用アプリケーションを用いて画像形成装置１００に送信される印刷ジョブに、印刷条件が付加されていないと判別した場合（Ｓ１０３でＮＯ）、またはステップＳ１０５において、汎用アプリケーションを用いて画像形成装置１００に送信される印刷ジョブに付加された印刷条件が、保持している印刷条件と同じであると判別した場合（Ｓ１０５でＮＯ）、印刷設定管理部２１０は、処理を終了する。
【０１７４】
端末２００は、印刷ジョブとして、画像データとともに汎用アプリで設定された印刷条件を画像形成装置１００に送信した場合、ユーザーからの了解を得た後で、印刷設定アプリで予め設定された印刷条件を変更することを許可するか否かの設定を受け付け、許可する設定を受け付けた場合に、汎用アプリで設定された印刷条件に基づいて、印刷設定アプリで予め設定された印刷条件を変更してもよい。
【０１７５】
図１９は、本発明の一実施の形態において、印刷設定アプリで予め設定された印刷条件を変更する場合の印刷設定管理部２１０の動作の第２の例を示すフローチャートである。
【０１７６】
図１９を参照して、本フローチャートは、ステップＳ１０５の処理でＹＥＳの場合にステップＳ１１１以降の処理を行う点において、図１８に示すフローチャートと異なっている。
【０１７７】
ステップＳ１０５において、汎用アプリケーションを用いて画像形成装置１００に送信される印刷ジョブに付加された印刷条件が、保持している印刷条件と異なると判別した場合（Ｓ１０５でＹＥＳ）、印刷設定管理部２１０は、保持している印刷条件の置き換えの要否の設定を受け付ける画面を操作表示部２０５に表示する（Ｓ１１１）。次に印刷設定管理部２１０は、保持している印刷条件を置き換える設定を受け付けたか否かを判別する（Ｓ１１３）。
【０１７８】
ステップＳ１１３において、保持している印刷条件を置き換える設定を受け付けたと判別した場合（Ｓ１１３でＹＥＳ）、印刷設定管理部２１０は、汎用アプリケーションを用いて画像形成装置１００に送信される印刷ジョブに付加された印刷条件で、保持している印刷条件を置き換え（Ｓ１０７）、処理を終了する。
【０１７９】
ステップＳ１１３において、保持している印刷条件を置き換える設定を受け付けないと判別した場合（Ｓ１１３でＮＯ）、印刷設定管理部２１０は、保持している印刷条件を置き換えずに処理を終了する。
【０１８０】
上述以外の本フローチャートの処理は、図１８に示すフローチャートの処理と同じであるので、その説明は繰り返さない。
【０１８１】
なお、図１８および図１９のフローチャートにおいて、印刷設定管理部２１０は、標準印刷機能が実行されるポートを監視する代わりに、印刷ジョブに付加されていた印刷条件を画像形成装置１００から取得してもよい。
【０１８２】
端末２００は、画像形成装置１００の印刷可能な印刷条件である印刷能力を取得し、印刷条件の送信の要求を画像形成装置１００から受け付けた場合において、印刷設定アプリで予め設定された印刷条件が印刷能力を超えている場合に、印刷設定アプリで予め設定された印刷条件の変更を促す通知を行ってもよい。この場合端末２００は、操作表示部２０５からの入力に従って印刷条件を変更し、変更後の印刷条件を画像形成装置１００に送信してもよい。
【０１８３】
図２０は、本発明の一実施の形態において、印刷設定アプリで予め設定された印刷条件を変更する場合の印刷設定送信部２０９の動作の第１の例を示すフローチャートである。
【０１８４】
図２０を参照して、印刷設定送信部２０９は、印刷条件の送信要求を印刷設定アプリから受信すると（Ｓ１２１）、画像形成装置１００の印刷能力を画像形成装置１００から取得する（Ｓ１２３）。次に印刷設定送信部２０９は、印刷設定アプリで予め設定された印刷条件が、画像形成装置１００の印刷能力を超えているか否かを判別する（Ｓ１２５）。
【０１８５】
ステップＳ１２５において、印刷設定アプリで予め設定された印刷条件が、画像形成装置１００の印刷能力を超えていると判別した場合（Ｓ１２５でＹＥＳ）、印刷設定送信部２０９は、印刷設定アプリで予め設定された印刷条件の変更を促す画面を操作表示部２０５に表示する（Ｓ１２７）。続いて印刷設定送信部２０９は、操作表示部２０５からの入力に従って印刷条件を変更し（Ｓ１２８）、印刷条件を画像形成装置１００に送信し（Ｓ１２９）、処理を終了する。
【０１８６】
ステップＳ１２５において、印刷設定アプリで予め設定された印刷条件が、画像形成装置１００の印刷能力を超えていないと判別した場合（Ｓ１２５でＮＯ）、印刷条件を変更する必要はないので、印刷設定送信部２０９はステップＳ１２９の処理へ進む。
【０１８７】
図２１は、本発明の一実施の形態において、印刷設定アプリで予め設定された印刷条件の変更を促す画面が端末２００の操作表示部２０５に表示された状態を模式的に示す図である。
【０１８８】
図２１を参照して、端末２００の操作表示部２０５には、印刷設定アプリで予め設定された印刷条件の変更を促すメッセージとともに、印刷設定アプリで予め設定された印刷条件の中で画像形成装置の印刷能力を超えている項目が表示される。ここでは、画像形成装置１００の印刷能力を超えている項目として、印刷解像度の項目が表示されている。印刷解像度の項目は、「６００ｄｐｉ」のボタンＢＴ８と、印刷解像度は「３００ｄｐｉ」のボタンＢＴ９と、印刷解像度は「２００ｄｐｉ」のボタンＢＴ１０とを含んでいる。画像形成装置１００の印刷能力では、６００ｄｐｉの印刷解像度での印刷は不可能であるので、ボタンＢＴ８は、点線で表示されており、選択できないようになっている。従って端末２００は、ボタンＢＴ９およびＢＴ１０のうちいずれかの選択を受け付ける。
【０１８９】
また端末２００の操作表示部２０５には、変更された項目の適用方法の選択を受け付けるボタンＢＴ１１およびＢＴ１２がさらに表示される。ボタンＢＴ１１は、印刷設定アプリで予め設定された印刷条件を、今回変更された印刷条件に変更する場合に選択される。ボタンＢＴ１２は、印刷設定アプリで予め設定された印刷条件を、今回変更された印刷条件に変更しない場合に選択される。
【０１９０】
さらに端末２００の操作表示部２０５には、印刷条件の変更を確定するための「ＯＫ」ボタンＢＴ１３と、印刷を中止するための「キャンセル」ボタンＢＴ１４とが表示されている。ユーザーは操作表示部２０５上で印刷条件を変更し、「ＯＫ」ボタンＢＴ１３を押下することで、変更後の印刷条件で印刷を実行することができる。
【０１９１】
端末２００は、印刷設定アプリで予め設定された印刷条件が印刷能力を超えている場合に、印刷設定アプリで予め設定された印刷条件の変更を促す通知を行わずに（自動的に）印刷条件を変更し、変更後の印刷条件を画像形成装置１００に送信してもよい。
【０１９２】
図２２は、本発明の一実施の形態において、印刷設定アプリで予め設定された印刷条件を変更する場合の印刷設定送信部２０９の動作の第２の例を示すフローチャートである。
【０１９３】
図２２を参照して、本フローチャートは、ステップＳ１２５の処理の後にステップＳ１３１の処理を行う点において、図２０に示すフローチャートと異なっている。
【０１９４】
ステップＳ１２５において、印刷設定アプリで予め設定された印刷条件が、画像形成装置１００の印刷能力を超えていると判別した場合（Ｓ１２５でＹＥＳ）、印刷設定送信部２０９は、印刷設定アプリで予め設定された印刷条件が印刷能力の範囲内に収まるように、印刷設定アプリで予め設定された印刷条件を変更し（Ｓ１３１）、ステップＳ１２９の処理へ進む。
【０１９５】
上述以外の本フローチャートの処理は、図２０に示すフローチャートの処理と同じであるので、その説明は繰り返さない。
【０１９６】
なお、図２０または図２２のフローチャートにおいて、印刷設定送信部２０９は、近距離無線通信、または近距離無線通信以外の無線通信を用いて画像形成装置１００の印刷能力を取得することが好ましい。
【０１９７】
［実施の形態の効果］
【０１９８】
上述の実施の形態によれば、プリンタードライバーを使用せずに端末上の汎用アプリから印刷を実行する場合に、印刷設定アプリで予め設定された印刷条件に基づいて印刷が行われるので、たとえばページレイアウトや認証など広範囲な印刷条件を用いて印刷を行うことができる。
【０１９９】
また、セキュリティ情報が含まれるような印刷条件を送信する際に、データの不正取得が困難とされているＮＦＣなどの近距離無線通信を優先して用いることにより、セキュリティの高いシステムを実現することができる。
【０２００】
［その他］
【０２０１】
図２３は、本発明の一実施の形態において端末２００が保持する印刷条件を模式的に示す図である。
【０２０２】
図２３を参照して、画像形成システムが複数の画像形成装置を備えている場合に、端末２００は、印刷設定アプリで予め設定された複数の印刷条件の各々であって、複数の画像形成装置の各々に対して設定された複数の印刷条件の各々を保持していてもよい。
【０２０３】
画像形成システムが２つの画像形成装置１００ａおよび１００ｂを備えている場合に、端末２００は、画像形成装置１００ａに対して設定された印刷条件Ａと、画像形成装置１００ｂに対して設定された印刷条件Ｂとを保持している。
【０２０４】
印刷条件Ａと印刷条件Ｂとは互いに異なっている。印刷条件Ａは、印刷解像度３００ｄｐｉ、用紙サイズＡ４、モノクロ印刷、両面印刷、および２ｉｎ１印刷という印刷条件である。印刷条件Ｂは、印刷解像度６００ｄｐｉ、用紙サイズＡ３、カラー印刷、および片面印刷という印刷条件である。
【０２０５】
端末２００は、印刷条件の送信の要求を画像形成装置から受け付けた場合に、要求元の画像形成装置に対して設定された印刷条件を抽出し、抽出した印刷条件を要求元の画像形成装置に送信する。これにより、使用する画像形成装置の印刷能力に応じた印刷条件で印刷を行うことができる。なお、端末２００は、複数の画像形成装置に対して共通して設定された印刷条件を保持していてもよい。
【０２０６】
上述の実施の形態における各部の動作は、適宜組み合わせることができる。
【０２０７】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０２０８】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２０９】
１０  用紙搬送部
１１  給紙ローラー
１２，１３  搬送経路
２０  トナー像形成部
２１  イメージングユニット
２２  転写ローラー
３０  定着部
４０  後処理部
５０  スキャナー部
５１  スリットガラス
５２  プラテンガラス
６０  ＡＤＦ（Ａｕｔｏ  Ｄｏｃｕｍｅｎｔ  Ｆｅｅｄｅｒ）
６１  給紙トレイ
６２，７５  排紙トレイ
７１，７３  給紙カセット
１００，１００ａ，１００ｂ  画像形成装置
１０１，２０１  ＣＰＵ（Ｃｅｎｔｒａｌ  Ｐｒｏｃｅｓｓｉｎｇ  Ｕｎｉｔ）
１０２，２０２  ＲＡＭ（Ｒａｎｄｏｍ  Ａｃｃｅｓｓ  Ｍｅｍｏｒｙ）
１０３，２０３  ＲＯＭ（Ｒｅａｄ  Ｏｎｌｙ  Ｍｅｍｏｒｙ）
１０４  不揮発メモリ
１０５  認証部
１０６  操作パネル
１０７  画像処理装置
１０８  印刷部
１０９，２０６  近距離無線通信部
１１０，２０７  無線通信部
１１１  印刷設定判断部
１１２  印刷設定要求部
１５１  画像形成装置全体制御部
１５２  印刷設定判断制御部
１５３  印刷設定要求制御部
１５４  操作パネル制御部
１５５  印刷実行制御部
１５６，２５６  無線通信制御部
１５７，２５７  近距離無線通信制御部
２００  端末
２０４  補助記憶装置
２０５  操作表示部
２０８  印刷データ送信部
２０９  印刷設定送信部
２１０  印刷設定管理部
２５１  端末全体制御部
２５２  標準印刷制御部
２５３  アプリ制御部
２５４  情報表示制御部
２５５  情報入力制御部
２６１  印刷設定アプリ
２６２  汎用アプリ
３００  ネットワーク
ＢＴ１，ＢＴ２，ＢＴ３，ＢＴ４，ＢＴ５，ＢＴ６，ＢＴ７，ＢＴ８，ＢＴ９，ＢＴ１０，ＢＴ１１，ＢＴ１２，ＢＴ１３，ＢＴ１４  ボタン
ＢＸ１，ＢＸ２  ボックス
ＰＰ  ポップアップ
【図１】
2016136327.tif 000003
【図２】
2016136327.tif 000004
【図３】
2016136327.tif 000005
【図４】
2016136327.tif 000006
【図５】
2016136327.tif 000007
【図６】
2016136327.tif 000008
【図７】
2016136327.tif 000009
【図８】
2016136327.tif 000010
【図９】
2016136327.tif 000011
【図１０】
2016136327.tif 000012
【図１１】
2016136327.tif 000013
【図１２】
2016136327.tif 000014
【図１３】
2016136327.tif 000015
【図１４】
2016136327.tif 000016
【図１５】
2016136327.tif 000017
【図１６】
2016136327.tif 000018
【図１７】
2016136327.tif 000019
【図１８】
2016136327.tif 000020
【図１９】
2016136327.tif 000021
【図２０】
2016136327.tif 000022
【図２１】
2016136327.tif 000023
【図２２】
2016136327.tif 000024
【図２３】
2016136327.tif 000025